(57)【要約】【課題】装置の機枠を一旦技術者が所望位置に配設調整すると、その後の払拭体の取替は技術力の無い掃除作業者が容易且つ瞬時に取り外し及び装着をなし得るようにする。【解決手段】  L字形状機枠の水平枠を配設し、支柱を起立し、水平枠基端近傍に下端を枢着した支持扞の上端は継手下部を回動自在に軸支し、その上端は払拭体配設する載置台の手摺ベルトが走行する方向側に変位して固設し、支柱と支持扞とはその上部間に弾機を設けたものである。【選択図】        図2
2005096912.tif 000002
【特許請求の範囲】
【請求項１】
床面に固接する水平枠の基端より起立する支柱からなるＬ字形状の機枠を形成し、水平枠の基端近傍に支持杆の下端を枢着し、支持杆の上端は継手の下部を枢着し、継手の上端は払拭体を配置する載置台の底壁の中心軸線に沿い且つ手摺ベルトの走行方向側に変位した位置に固設し、支持杆上部と支柱上部間には弾機が接続されていることを特徴とするエスカレータの手摺ベルト清掃装置。
【請求項２】
前記弾機はコイルバネであって、その基端側は支柱上部壁に穿設したねじ孔に螺挿したねじ杆と接続し、該ねじ杆の両側より支柱壁にナットを螺着し、ねじ杆を位置移動可能に固定して弾機の弾力を調整可能にしたことを特徴とする請求項1記載のエスカレータの手摺ベルト清掃装置。
【請求項３】
上記載置台は底壁両側縁より柔軟なスポンジ状の払拭体を挟持する側壁を起立し,底壁と両側壁の手摺ベルト走行方向側端縁より係合板を折曲形成し、更に、底壁と両側壁の隅角部には段部を設けたことを特徴とする請求項1記載のエスカレータの手摺ベルト清掃装置。
【請求項４】
上記支持杆に沿う継手、載置台には手摺ベルトの中心軸線に沿う垂直面に整合して揺動することを特徴とする請求項1記載のエスカレータの手摺ベルト清掃装置。
【請求項５】
床面に配設する水平枠の基端より一体的に起立した下側支柱を形成し、下側支柱に接続した上側支柱は傾斜角度調節可能に固定する一方、連続杆の両端に平行なU字形杆を設け、U字形状杆の起立部上端に掛突起を設けて掛枠を形成し、該掛枠の一側に設けた接続板を介して、前記上側支柱の上部に高さ調節可能に固定し、掛枠に取外し可能に装着する取付体は底壁一側端より側壁を起立し、他側端は丁番を介して開閉可能な側壁を設け、両側壁の上部両側端部には前記掛突起に装着する掛孔を穿設し、両側壁に螺挿固定した夫々一対のボルトナットの両側壁内側の螺軸部には相対向して配置した規制板のねじ孔に螺合して固定し、更に両側壁外面に配置した締板を蝶ねじにより帯状払拭体の両端部分を圧着係止し、帯状払拭体を配設した取付体は下側から持ち上げるようにして前記掛突起に掛孔を引掛けて装着しまたは取外すようにしたことを特徴とするエスカレータの手摺ベルト清掃装置。
【請求項６】
上記上下の支柱の接続部の両側壁部に跨がる当板を上下のボルトナットにより弛緩して上側支柱を傾斜角度調整可能に締付固定することを特徴とする請求項5記載のエスカレータの手摺ベルト清掃装置。
【請求項７】
上記上側支柱上部に穿穿設した長孔には掛枠の接続板に一対のボルトナットで掛枠を高さ調節可能に締付固定することを特徴とする請求項5記載のエスカレータの手摺ベルト清掃装置。
【発明の詳細な説明】
【技術分野】
【０００１】
本発明はエスカレータの踏段の両側に有する手摺ベルトを拭き掃除する払拭体が瞬時簡単に交換し得る清掃装置に関するものである。
【背景技術】
【０００２】
現在空港鉄道駅舎、百貨店などは乗客や顧客を移動乃至誘導する手段としてエスカレータや水平走行する移動歩道が設けられ、これら移送手段には必ず手摺ベルトが配設されている。このベルトには附着した有害細菌を含む塵、手垢等を払拭除去する利点があるために多くの清掃機械機具が提案されている。実用の清掃装置は移乗者がエスカレータに乗り移る乗り口、ベルトをつかんだ移乗中、エスカレータから上下階段の床面に乗降りる過程を通じて衣服のすそが清掃機に引掛けたりすることが無い位置と、このような危険が発生しない構造となし、更に斯かる危険を排除するコンパクトな構成とすることが好ましい。実用の清掃装置は技術者が手摺ベルトの下方の適切な床面位置に機枠を固設しておけば、払拭体の交換操作は全く技術的な経験の無い女性清掃者でもワンタッチ操作で配置できれば実用上充分である。
【０００３】
しかし、ベルトを清掃する装置の配設位置は、上階方向へ走行するときは上階側の下側手摺ベルト及び踏段の駆動機構を収納した上階側の筐体端面に近接したベルトの水平部又は湾曲部直下の床面に設け、下階側へ走行するものは、下階側ベルトの下側水平部又は湾曲部直下の床面に配設することが乗降者の床面への移乗にとって支障が無い。これは図1のX乃至Y位置に限定される。更に装置は不用意に位置移動することなく、払拭体がベルトの外表面と両側面に沿って適宜の圧力を有しながら摺擦しなければならない。そして、エスカレータが作動中でも緊急に払拭体を交換するときはベルトから直角外方にワンタッチで取り外し処理することができ、作動前又は停止後交換するときは清掃作業が払拭体の取付や工具で組立部材の調整をするようなことなく、10から20秒程度の短時間でワンタッチに交換し、全作動時間に亘り、掃除をなし、1日から３日おきに取替えれば充分に清掃状態を保持可能であることが要請される。又更に、装置の部材はステンレス鋼版などの耐食性材料を切断折曲加工する程反使用できる市販材料の簡単な構造のによる安価なコストのものがが要求される、しかし、これ等の要請が従来の製品には満たされていないために、実際上は殆ど使用に供されていない欠点があった。
【０００４】
上記の改善策として、床面上に配設した基台とパッド保持具を有する支持台間には中央のロットと両側の一対のロットを交叉状に配置され、両側のロット下端のスライダは位置移動可能にねじで固定して支持台の傾斜角度と高さを調整する構成とし、パットを交換するときはベルトと平行な方向に強く引き抜く構造としたものが提案されている。この構造のものはパット保持具を引き抜き難い場合は両側のロット下端を清掃者が位置移動して引き抜くので、後で手動による傾斜角度の調整操作に時間を要する。しかもロットは常に横揺れして使用に耐えない構造である。
【０００５】
更に、改善策として、筐体内のロール布は消毒液を含浸させたスポンジでベルト外表面に圧接し、複数個の摺擦ローラはベルト両側面を摺擦し、ロール布、摺擦ローラは減速装置を介して駆動されるベルトクリーナが提案されているがロール布、ローラ、消毒液の交換には筐体及び内部構造を操作調整する時間と技術的能力を必要とする欠点があった。
【特許文献１】実開1988-26679
【特許文献２】実開1989-123685
【発明の開示】
【発明が解決しようとする課題】
【０００６】
解決しようとする問題点は、走行する手摺ベルトに払拭体の圧接力や傾斜角度を調整した複雑な配設構成とされた清掃装置において、払拭体を取外すときは構成部材の一部を移動させたり、取付けるときは手動又は工具で配設位置を習熟した技術者が長時間を要して調整しなければならぬという問題点である。
【課題を解決するための手段】
【０００７】
本発明は最初に技術者が適切に調整して配設した装置の構成部材の調整位置を移動又は解除することなく、払拭体のみを瞬時に手摺ベルトに着脱可能としたものである。そのためには手摺ベルトに清掃者が圧接した払拭体を弾機の弾力に抗して払拭体の載置台と共に手で押し下げて汚れた払拭体のみを取外し、清潔な払拭体を載置台に配置した後、手の力を緩めながら弾機の弾力により手摺ベルトに圧接することを最も主要な特徴とする。他の実施手段としては装置の機枠とは別体とした払拭体の取付体を形成し、この取付体を機枠の掛突起に引掛けるだけで払拭体を手摺ベルトに圧接装着する。そして、汚れた払拭体を取り去るときは配接部材と共に前記引き掛け状態を取外すだけで払拭体を手摺ベルトから離脱させることを最も重要な特徴とする。
【発明の効果】
【０００８】
本発明のエスカレータの手摺ベルト清掃装置はその構成部材から多量生産された市販材料を切断折曲する単純な加工により用いるもので極めて低コストで組立て成形可能である。しかも構成部材数が少なく取扱いが容易である。
【発明を実施するための最良の形態】
【０００９】
いったん技術者が装置を適切に配設したならば、技術的操作に欠けた女性清掃者でも払拭体の着脱を容易にするという目的を有し、そのためには装置の構成を簡単にし、しかも、市販部材を切断折曲する加工過程のみで製作コストと販売価格を安価にし、可能な限り最小の部品点数で製作をし得るという利点がある。
【００１０】
装置の機枠に設けた揺動する支持扞と回動する継手上に払拭体の載置台が設けられ、弾機に抗して支持扞を清掃者が手で押し下げて、汚染した払拭体を取外し、清潔な払拭体を載置台に配置して押し下げた手の力を緩めてゆけば、払拭体は手摺ベルトに圧接して摺擦し続けるもので、この取替操作は清掃者が工具を用いたり、調整した構成部材を移動したり、取外すことがなく、瞬時に且つ容易に処理操作をすることができる。（実施例1）
【００１１】
更に、Ｕ字形状枠に設けた掛枠の掛突起に引掛ける別体としての形成する汚染した払拭体付ハウジング状の取付体を取り外し、予め準備した余分の清潔な払拭体付取付体を前記掛突起に引掛けるだけで瞬時且つ容易に払拭体を取替えることが可能である。（実施例2）
【００１２】
本装置は百貨店等に20〜30機のエスカレータが配接されている状態であっても、顧客が移乗するために作動時間の前後に迅速に払拭体を取替可能であるが、たとえ、作動中であっても15〜20秒の間に顧客を待たせておいて作動中の走行ベルトに払拭体を取替操作をすることは極めて容易である。
【００１３】
本発明は手摺ベルトを全作動期間中に亘って清掃するものであるが,従来提案された装置は製作加工が高度なもので技術者でもない清掃作業員は部材の調整に時間を要し、全く使用されていない実態である。本発明はこのような現状を克服するために提案したものであり,現在まで,手摺ベルトは汚く悪性病原菌に感染する可能性が多く、極端には95パーセントの母親が小児に掴まないように指示し、しかも手をつないで転倒の危険を克服してきたが,本発明装置により斯かる危険性はなくなったものと確信するものである。
【実施例１】
【００１４】
図1はエスカレータ1に対して清掃装置の配設位置を示す一部切欠概略側面図である。エスカレータの手摺ベルトが下階側から上階側に走行する場合は、上側から下側への反転部下側Ｘの床面位置に清掃装置を配設する。手摺ベルト2が上階側から下階側へ走行してゆくときは上側から下側へ反転するＹ位置の床面に装置を配設する。これは含有水分を有する払拭体で僅かに湿った状態となった手摺ベルト２は加湿されているが通風されている筐体4内を通過中に幾分乾燥されて筐体より出てくるときは移乗者が手でベルトを把持しても違和感を生じないようにしている。
【００１５】
図2は手摺ベルト2を支える筐体4に対する清掃装置7の相対的位置と大きさを対比した使用状態を示すものである。該図と図1で示すエスカレータの移乗者が踏段6より建物床面に移るとき,清掃装置7は筐体4やスリーブガード3に殆ど隠れた状態であり,且つズボンの裾などを引掛けるような危険性もない。
【００１６】
図3、図4は夫々清掃装置7の一部切欠側面図と正面図である。該図の機枠8は耐食性溝形鋼材製でその水平枠9は手摺ベルト2の中心軸線を通過する垂直面に沿って床10にボルト11で固設され、水平部9の基端より支柱12を起立して全体がL字状に形成される。
【００１７】
水平枠9の基端側部の両側壁13と14間には管材15を介装したボルト16がナットで固定され、管材15にはその半径方向に設けた支持扞17の下端が固設されて揺動自在に起立される。
【００１８】
一方、前記支柱12の中央壁部18上部にはねじ孔をタッピングし、ねじ孔にはねじ扞19を螺挿する。そして、一対のナット20,21により中央壁部18に螺着して位置調整可能に固定する。ねじ扞19の内側端と前記支持扞17上部の透孔22との間にはコイルばねなどの弾機23を連結する。
【００１９】
支持扞17の上端は継手24下部の二股部がリベット25で回動自在に締結する。継手24の上端は座金を解して配置した載置台27の底壁28をボルト29で継手に固設する。そして、支持扞17と継手24は走行する手摺ベルトの中心軸線を通る垂直面に沿って上下方向に揺動する。
【００２０】
前記載置台27は底壁28の両側縁より払拭体26を挟持するような保持壁30を起立する共に図3の矢印31で示す手摺ベルト2の走行方向側の底壁と保持壁30の先端縁には払拭体26の逸脱を阻止する係合板32及び33を折曲形成する。更に、底壁28と両保持壁の角隅部にはその全長に亘って断面が方形の段部34を設ける。これは図2に示す如く支持扞17が弾機でベルト2側に揺動したとき払拭体26は直方体形状から圧縮された形状に変形する。この変形によりベルト2の外表面及び両側面まで摺擦して清潔にする。この変形を段部34が適切に補助するものである。
【００２１】
前記支持杆17は図3に示すように傾斜角度が20゜程度のとき弾機の引張力はなく、35゜〜40゜程度に傾斜したとき、図2に示すように弾機の引張力により柔軟な払拭体は手摺ベルト2に圧設して変形する。
【００２２】
上記払拭体26としてはフエルト、スポンジ、特に柔軟な発泡ポリウレタン等各種の素材で形成する。そして、図3、図4に示す如く、直方体形状となすが、上面を彎曲した凹面としてもよい。この払拭体には人体に無害な洗浄液や殺虫剤を含浸、塗布して汚染した手摺ベルトを拭き取って殺菌消毒するものである。
【００２３】
払拭体26は図2に示す如く変形して、手摺ベルト2を摺擦すると、摩擦力の変位や摩擦むらが発生し、載置台のベルト走行方向の後端側が左右いずれかの側に移動して構成部材の揺動動作に支障を生ずる。このため、図4に示す如く載置台27の中心軸線上（ベルトの軸線の垂直面に沿う）で図3に示す如くベルト走行方向側に変位して継手を固設するもので、係合板32側から継手24までの距離と継手24から底壁28後端までの距離は3対7乃至4対6程度の距離比の範囲に変位することが好ましい。このような位置に継手を配設すると、払拭体の圧接位置は手摺ベルトの水平走行部や彎曲走行部であっても払拭体付載置台24の全体は手摺ベルトの走行方向に順応すると共に払拭体の全体がベルトに圧接して摺擦掃除する。
【実施例２】
【００２４】
図5〜図7は本発明の第2の実施例である。図5に示すL字形状の枠体40上には掛枠52を設ける一方、払拭体41を配置係止した取付体42は掛枠52に装着する構成とされる。
【００２５】
前記Ｌ字形状枠体40は耐腐食性溝型鋼材からなり、その水平枠44は床面にボルト43で固設する。水平枠44の基端より下側支栓45を起立し、下側支柱45上に接続する上側支柱48は両支柱に跨る当板46を両側に配置し二個のボルトナット47で上側支柱を傾斜角度調節可能に緊締して固定する。上側支柱48の上部には縦方向の長孔37を設けて前記掛枠52の一側底部に設けた接続板53にニ個のボルトナット38で掛枠52を高さ調節可能に緊締して固定する。
【００２６】
前記掛枠52は一対の平行に配置したU字形状５０、５１を連結杆４９で一体的に形成し、一方のU字形状杆５０の水平杆部には前述した接続板５３を断面逆L字形状に設けて上側支柱４８に接続するものである。そして両U字形状杆５０、５１の四個の起立部上端部分のねじ孔にはボルトナットで螺挿し、頭部が外方に突出した掛突起４４,４５を設ける。
【００２７】
前記掛枠５２に装着する別体としての取付体４２は底壁５７の一側縁より側壁５６を折曲起立し、他側縁は丁番５８により開閉揺動可能な側壁５９を設け、両側壁と底壁の前後端縁には、縁部材を折曲してハウジング形状に形成する。
【００２８】
上記両側壁５６と５９の上部両側端部には前記した夫々一対の掛突起４４、４５に引掛けるように装着するため、夫々一対の掛孔６０、６１を穿設する。そして両掛孔６０、６１のわずか内側下部には夫々一対のボルト６２、６３を螺挿してナットで緊締し、該ボルトの両側壁内側には相対向した断面逆L字形状の規制板６３のねじ孔に螺挿して固定する。これにより両規制板６３は手摺ベルトの形状や大きさに対応した適切な相対間隔を微調整可能に位置固定される。
【００２９】
更に、両側壁５６、５９の夫々の相応する部位には平行な位置に間隔を有して設けた一対のねじ孔と整合する内側にナット部材を固着し、側壁外面には細長い締板７０を清掃者が手動で締付操作可能な螺ねじ７１を螺挿し、帯状払拭体の一端を側壁５６外面側の締板７０で係止し、側壁５６上縁より規制板６３の端縁より少々垂れ下がる状態で他側の規制板６３の端縁と係合させたのち側壁５９上端を介して下方に向けた払拭体の他端部の目印位置を締板で圧着係止する。前記払拭体41は布、不織布、タオル生地などを重ね合わせて帯状に形成したものである。
【００３０】
払拭体付き取付体41の取替操作について述べれば、予め配設機枠の倍個数の払拭体付き取付体を準備しておき使用により汚染した払拭体を取付体と共に取外したのち、直ちに清潔な払拭体を配設した取付体を瞬時に掛枠52に取り付けることが適切である。そのためには、通常踏段側の床面より側壁56の両掛孔61を掛枠の両掛突起45に下側から持ち上げながら引掛けたのち、内側の側壁59の両掛孔60を両掛突起44に引掛ける手順が好適である。そのとき、たまたま払拭体の緩んでいたり、緊張しすぎているときは螺ねじ71を操作して調整する。清掃装置の掛枠付き機枠40は技術者が一旦床面に調整して配設すると、その後の払拭体取替え作業は技術力のない臨時の女性清掃者でも容易簡単に且つ瞬時に予め準備した清潔な払拭体付き取付体と取替えることが可能である。
【００３１】
図7は手摺ベルトを払拭体41が清潔に摺擦する状態を示す装置の正面図である。外側の締板70で一端を係止した払拭体41は側壁56上縁を介して連結杆49の下端縁に係合しながら規制板63に誘導する。規制板63の内側端縁より下方に向かって移動する手摺ベルトの側面、外側表面、他方の側面に圧接して摺擦しながら相対向する規制板63に係合する。その後、側壁59上端縁を介してその外面に設けた締板70で圧接し、蝶ねじ71で締付固定している。前記両規制板63はその間隔をボルト62,63で調整可能であるので如何なる手摺ベルトの大きさの異なるものでも本装置が適応する構成とされている。
【産業上の利用可能性】
【００３２】
機枠を大型として柔軟なスポンジ払拭体を配置する載置台を大型のものにすれば、食品や薬品その他電子材料からなる精密部品の製造加工行程中で用いる搬送ベルトを全稼働時間に亘って常時該ヘ゛ルトを殺菌しながら附着したちり、粘着液等を除去して清潔なヘ゛ルト上に製造工程中の加工品を移送する用途にも適用できる。
【図面の簡単な説明】
【００３３】
【図１】手摺ベルト清掃装置のエスカレータにおける配設箇所を示す概略側面図である。（実施例1）
【図２】清掃装置が手摺ベルトを摺擦掃除する状態とその大きさを手摺ベルトに対比的に示する正面図である。
【図３】図1の装置の一部切欠側面図である。
【図４】図1の装置の一部切欠正面図である。
【図５】清掃装置の機枠の全体斜視図である。（実施例2）
【図６】図5の機枠の掛枠に装着する払拭体を配設した取付体の斜視図である。
【図７】実施例2の清掃装置で手摺ベルトを摺擦掃除する状態を示す要部正面図である。
【符号の説明】
【００３４】
X、Y  エスカレータに清掃装置を配設する位置
１    エスカレータ
２    手摺ベルト
３    スリーブガード
４    筐体
５    筐体の端壁
6    踏段
7    手摺ベルトの清掃装置
8,40    機枠
9,44    機枠の水平枠
12,45,48    機枠の支柱
17    支持扞
23    弾機
24    継手
26,41    払拭体
27    載置台
28    底壁
30    側壁
32,33    係合板
42    取付体
49    連結扞
52    掛枠
44,45    掛突起
56,59    側壁
57    底壁
60,61    掛孔
63    規制板
70    締板
71    螺ねじ
【図１】
2005096912.tif 000003
【図２】
2005096912.tif 000004
【図３】
2005096912.tif 000005
【図４】
2005096912.tif 000006
【図５】
2005096912.tif 000007
【図６】
2005096912.tif 000008
【図７】
2005096912.tif 000009